【手続補正書】
【提出日】平成25年7月8日(2013.7.8)
【手続補正１】
【補正対象書類名】明細書
【補正対象項目名】００２７
【補正方法】削除
【補正の内容】
【手続補正２】
【補正対象書類名】明細書
【補正対象項目名】００２８
【補正方法】削除
【補正の内容】
【手続補正３】
【補正対象書類名】明細書
【補正対象項目名】００２９
【補正方法】削除
【補正の内容】
【手続補正４】
【補正対象書類名】明細書
【補正対象項目名】００３０
【補正方法】削除
【補正の内容】
【手続補正５】
【補正対象書類名】明細書
【補正対象項目名】００３１
【補正方法】削除
【補正の内容】
【手続補正６】
【補正対象書類名】特許請求の範囲
【補正対象項目名】全文
【補正方法】変更
【補正の内容】
【特許請求の範囲】
【請求項１】
画像が符号化された多系統のコードストリームが有する、復号画像の拡張性を実現するためのデータ構造であるプログレッション構造を解析する解析手段と、
前記解析手段による解析結果に従って前記多系統のコードストリームの統合後のプログレッション構造を決定する決定手段と、
前記決定手段により決定された前記統合後のプログレッション構造に従って、前記多系統のコードストリームを統合し、前記プログレッション構造を有する１系統のコードストリームを生成する統合手段と
を備える画像処理装置。
【請求項２】
前記コードストリームは、レイヤ、解像度レベル、コンポーネント、およびポジションについてのプログレッション構造を有する
請求項１に記載の画像処理装置。
【請求項３】
前記決定手段は、前記解析手段により解析された前記プログレッション構造に、系統についてのプログレッション構造を加えるように、前記統合後のプログレッション構造を決定する
請求項２に記載の画像処理装置。
【請求項４】
前記決定手段は、前記解析手段により解析された前記プログレッション構造が、レイヤ、解像度レベル、コンポーネント、およびポジションの順の階層構造を有する場合、系統、レイヤ、解像度レベル、コンポーネント、およびポジションの順の階層構造を、前記統合後のプログレッション構造とする
請求項３に記載の画像処理装置。
【請求項５】
前記決定手段は、前記解析手段により解析された前記プログレッション構造が、レイヤ、解像度レベル、コンポーネント、およびポジションの順の階層構造を有する場合、レイヤ、系統、解像度レベル、コンポーネント、およびポジションの順の階層構造を、前記統合後のプログレッション構造とする
請求項３に記載の画像処理装置。
【請求項６】
前記決定手段は、前記解析手段により解析された前記プログレッション構造が、解像度レベル、レイヤ、コンポーネント、およびポジションの順の階層構造を有する場合、系統、解像度レベル、レイヤ、コンポーネント、およびポジションの順の階層構造を、前記統合後のプログレッション構造とする
請求項３に記載の画像処理装置。
【請求項７】
前記決定手段は、前記解析手段により解析された前記プログレッション構造が、解像度レベル、レイヤ、コンポーネント、およびポジションの順の階層構造を有する場合、解像度レベル、系統、レイヤ、コンポーネント、およびポジションの順の階層構造を、前記統合後のプログレッション構造とする
請求項３に記載の画像処理装置。
【請求項８】
前記決定手段は、前記解析手段により解析された前記プログレッション構造が、解像度レベル、ポジション、コンポーネント、およびレイヤの順の階層構造を有する場合、系統、解像度レベル、ポジション、コンポーネント、およびレイヤの順の階層構造を、前記統合後のプログレッション構造とする
請求項３に記載の画像処理装置。
【請求項９】
前記決定手段は、前記解析手段により解析された前記プログレッション構造が、解像度レベル、ポジション、コンポーネント、およびレイヤの順の階層構造を有する場合、解像度レベル、ポジション、系統、コンポーネント、およびレイヤの順の階層構造を、前記統合後のプログレッション構造とする
請求項３に記載の画像処理装置。
【請求項１０】
前記決定手段は、前記解析手段により解析された前記プログレッション構造が、ポジション、コンポーネント、解像度レベル、およびレイヤの順の階層構造を有する場合、系統、ポジション、コンポーネント、解像度レベル、およびレイヤの順の階層構造を、前記統合後のプログレッション構造とする
請求項３に記載の画像処理装置。
【請求項１１】
前記決定手段は、前記解析手段により解析された前記プログレッション構造が、ポジション、コンポーネント、解像度レベル、およびレイヤの順の階層構造を有する場合、ポジション、系統、コンポーネント、解像度レベル、およびレイヤの順の階層構造を、前記統合後のプログレッション構造とする
請求項３に記載の画像処理装置。
【請求項１２】
前記決定手段は、前記解析手段により解析された前記プログレッション構造が、コンポーネント、ポジション、解像度レベル、およびレイヤの順の階層構造を有する場合、系統、コンポーネント、ポジション、解像度レベル、およびレイヤの順の階層構造を、前記統合後のプログレッション構造とする
請求項３に記載の画像処理装置。
【請求項１３】
前記決定手段は、前記解析手段により解析された前記プログレッション構造が、コンポーネント、ポジション、解像度レベル、およびレイヤの順の階層構造を有する場合、コンポーネント、系統、ポジション、解像度レベル、およびレイヤの順の階層構造を、前記統合後のプログレッション構造とする
請求項３に記載の画像処理装置。
【請求項１４】
前記統合後のプログレッション構造に関する情報であるプログレッション情報を生成し、前記コードストリームに付加するプログレッション情報生成手段をさらに備える
請求項１に記載の画像処理装置。
【請求項１５】
画像処理装置の画像処理方法であって、
解析手段が、画像が符号化された多系統のコードストリームが有する、復号画像の拡張性を実現するためのデータ構造であるプログレッション構造を解析し、
決定手段が、解析結果に従って前記多系統のコードストリームの統合後のプログレッション構造を決定し、
統合手段が、決定された前記統合後のプログレッション構造に従って、前記多系統のコードストリームを統合し、前記プログレッション構造を有する１系統のコードストリームを生成する
画像処理方法。
【請求項１６】
画像が符号化された多系統のコードストリームが統合されて生成された１系統のコードストリームが有する、復号画像の拡張性を実現するためのデータ構造であるプログレッション構造を解析する解析手段と、
前記解析手段により解析された前記プログレッション構造に含まれる、系統についてのプログレッション構造に従って、前記統合後の１系統のコードストリームを、前記多系統のコードストリームに分離する分離手段と
を備える画像処理装置。
【請求項１７】
前記分離手段により分離された各系統のコードストリームを復号する復号手段をさらに備える
請求項１６に記載の画像処理装置。
【請求項１８】
前記分離手段により分離された各系統のコードストリームについて、前記プログレッション構造に関する情報であるプログレッション情報を生成し、前記コードストリームに付加するプログレッション情報生成手段をさらに備える
請求項１６に記載の画像処理装置。
【請求項１９】
前記統合後の１系統のコードストリームは、系統、レイヤ、解像度レベル、コンポーネント、およびポジションについてのプログレッション構造を有する
請求項１６に記載の画像処理装置。
【請求項２０】
画像処理装置の画像処理方法であって、
解析手段が、画像が符号化された多系統のコードストリームが統合されて生成された１系統のコードストリームが有する、復号画像の拡張性を実現するためのデータ構造であるプログレッション構造を解析し、
分離手段が、解析された前記プログレッション構造に含まれる、系統についてのプログレッション構造に従って、前記統合後の１系統のコードストリームを、前記多系統のコードストリームに分離する
画像処理方法。